(57)【要約】 【課題】  すの子その他の連結製品について、縦材と横材とが交叉する箇所と連結子との結合関係を改良した製品を提供することを目的とする。 【解決手段】  合成樹脂材を適当な太さと長さと形状に成形した横材１と縦材２との相合交叉する箇所に、小口径と深さに成る横断面角形の凹溝３をそれぞれ設け、この角形凹溝に対しそれぞれ凹凸段周面部５を有する合成樹脂材の連結子４を強圧嵌着して連結して成る連結製品である。また、縦材又は横材の適所に連結子部を横材又は縦材の適所に設けた角形凹溝に対し強圧嵌着し連結して成る連結製品である。また、合成樹脂材を適当な太さと長さと形状に成形した横材と縦材とが相合交叉する箇所の一方部に小口径と深さに成る横断面角形の凹溝を設け、他方部には凹凸段周面部を有する合成樹脂材の連結子部を一体に設け、この連結子部を前記一方部の角形凹溝に強圧嵌着して連結して成る連結製品である。【選択図】    図４
2019073882.tif 000002
【特許請求の範囲】
【請求項１】
合成樹脂材を適当な太さと長さと形状に成形した横材と縦材とが相合交叉する箇所に、小口径と深さに成る横断面角形の凹溝をそれぞれ設け、この各角形凹溝に対しそれぞれ凹凸段周面部を有する合成樹脂材の連結子を強圧嵌着して連結して成ることを特徴とする連結製品。
【請求項２】
合成樹脂材を適当な太さと長さと形状に成形した横材と縦材とが相合交叉する箇所の横材側に合成樹脂材の連結子を突設し、この連結子に対応する縦材側位置に小口径と深さに成る横断面角形の凹溝をそれぞれ設け、この縦材の各角形凹溝に対し前記横材側に突設した各合成樹脂材の連結子をそれぞれ強圧嵌着して成ることを特徴とする連結製品。
【請求項３】
合成樹脂材を適当な太さと長さと形状に成形した横材と縦材とが相合交叉する箇所の縦材側に合成樹脂材の連結子を突設し、この連結子に対応する横材側位置に小口径と深さに成る横断面角形の凹溝をそれぞれ設け、この横材を各角形通孔に対し前記縦材側に突設した合成樹脂材の連結子をそれぞれ強圧嵌着して成ることを特徴とする連結製品。
【請求項４】
合成樹脂材を適当な太さと長さと形状に成形した横材と縦材とが相合交叉する箇所の一方部に小口径と深さに成る横断面角形の凹溝を設け、他方部には凹凸段周面部を有する合成樹脂材の連結子部を一体に設け、この連結子部を前記一方部の角形凹溝に強圧嵌着して連結して成ることを特徴とする連結製品。
【請求項５】
合成樹脂材を適当な太さと長さと形状に成形した横材と縦材とが相合交叉する箇所に、小口径と深さに成る横断面角形の凹溝をそれぞれ設け、この角形凹溝に対しそれぞれ凹凸段周面部を有する合成樹脂材の連結子を強圧嵌着して連結して成ることを特徴とするすの子。
【請求項６】
合成樹脂材を適当な太さと長さと形状に成形した横材と縦材とが相合交叉する箇所の横材側に合成樹脂材の連結子を突設し、この連結子に対応する縦材側位置に小口径と深さに成る横断面角形の凹溝をそれぞれ設け、この縦材の各角形凹溝に対し前記横材側に突設した各合成樹脂材の連結子をそれぞれ強圧嵌着して成ることを特徴とするすの子。
【請求項７】
合成樹脂材を適当な太さと長さと形状に成形した横材と縦材とが相合交叉する箇所の縦材側に合成樹脂材の連結子を突設し、この連結子に対応する横材側位置に小口径と深さに成る横断面角形の凹溝をそれぞれ設け、この横材の各角形凹溝に対し前記縦材側に突設した各合成樹脂材の連結子をそれぞれ強圧嵌着して成ることを特徴とするすの子。
【請求項８】
合成樹脂材を適当な太さと長さと形状に成形した横材と縦材とが相合交叉する箇所の一方部に小口径と深さに成る横断面角形の凹溝を設け、他方部には凹凸段周面部を有する合成樹脂材の連結子部を一体に設け、この連結子部を前記一方部の角形凹溝に強圧嵌着して連結して成ることを特徴とするすの子。
【発明の詳細な説明】
【技術分野】
【０００１】
本発明は、連結製品及びその一製品であるすの子に関するものである。
【背景技術】
【０００２】
横材と縦材とを交叉して連結する製品としては家具その他の日用品の中に種々のものが存するところ、各種の木製品や合成樹脂製品を連結構成する手段としては、金属製の螺子やビスや釘によるものが普通であるが、硬質合成樹脂材によって連結子を構成する連結部材は公知文献を調査しても見当たらなかった。
【０００３】
また、金属製螺子や釘などによって連結する手段を提供することは、使用の最初時には支障がなくても、使用中に多数の連結子によって構成された連結製品が、次第に弛緩したり発錆したりすることが起きるから、長期間の使用には耐えられない状態の製品になっていたのである。
【先行技術文献】
【特許文献】
【０００４】
【特許文献１】特開２００３−２０７８３号公報
【特許文献２】特開平９−２４２３０７号公報
【特許文献３】実公平２−２５８６２号公報
【特許文献４】実公昭５１−２８０３１号公報
【０００５】
公知文献としては、上記のような特許文献があったが、特許文献１には、表面材と、裏面材の接触面中央部に半貫通孔をもち、その半貫通孔にダボ（連結子）を打ち込み、表面材と裏面材を互いに脱着可能に一体化することが開示されている。
【０００６】
特許文献２には、合成樹脂材製のすのこであり、円柱状の連結具で上下の板材を固定することが開示されている。
【０００７】
特許文献３には、脚杵と表面板を継ぎ駒を用いて連結する木製すのこが開示されている。
【０００８】
特許文献４には、脚材と表面板を耐食性止具継連結するプラスチック製すのこが開示されている。
【０００９】
しかしながら、いずれの文献内容も、本発明の内容とは別異のものである。
【発明の概要】
【発明が解決しようとする課題】
【００１０】
そこで、本発明はすの子その他の連結製品について、所定長さと太巾に加工した縦材と横材とが交叉する箇所と連結子との結合関係を改良することにより、耐久性のある製品として提供することを目的とするものである。
【課題を解決するための手段】
【００１１】
本発明は、合成樹脂材を適当な太さと長さと形状に成形した横材と縦材との相合交叉する箇所に、小口径と深さに成る横断面角形の凹溝をそれぞれ設け、この角形凹溝に対しそれぞれ凹凸段周面部を有する合成樹脂材の連結子を強圧嵌着して連結して成る連結製品であり、すの子である。
【００１２】
また、本発明は、縦材又は横材の適所に連結子部を横材又は縦材の適所に設けた角形凹溝に対し強圧嵌着し連結して成る連結製品であり、すの子である。
【００１３】
また、合成樹脂材を適当な太さと長さと形状に成形した横材と縦材とが相合交叉する箇所の一方部に小口径と深さに成る横断面角形の凹溝を設け、他方部には凹凸段周面部を有する合成樹脂材の連結子部を一体に設け、この連結子部を前記一方部の角形凹溝に強圧嵌着して連結して成る連結製品であり、すの子である。
【発明の効果】
【００１４】
本発明は、合成樹脂材による横材と縦材とを相合交叉する箇所に合成樹脂材の連結子を強圧嵌着した連結製品であるから、連結子を含む連結部材の全体は、日常使用するすの子のような物品であっても、それが業務用であろうと家庭用であろうと、パン類の敷き皿としてや冷蔵庫の敷き皿などとして、常に安全かつ衛生的に使用することができるのである。
【００１５】
また、連結子は横材又は縦材の横断面角形凹溝に対し強圧殴打して嵌着するものであるから、その結合力は強靭であり、弛緩することはない。
【図面の簡単な説明】
【００１６】
【図１】すの子例の全体の平面図
【図２】すの子例の全体の底面図
【図３】連結子の正面図と、嵌合する上下の通孔部の各平面図
【図４】すの子例の一部の関係部材を離間した状態を示す拡大断面図
【図５】図１Ａ−Ａ線の断面図
【図６】すの子一部の関係部分の結合前の状態を示す他例の拡大断面図
【図７】すの子一部の関係部分の結合前の状態を示す他例の拡大断面図
【図８】すの子一部の関係部分の結合前の状態を示す他々例の拡大断面図
【発明を実施するための形態】
【００１７】
本発明の横材と縦材とが交叉する箇所にそれぞれ設けている凹溝は横断面角形に成り、この角形凹溝に対してそれぞれ凹凸段周面部を有する連結子又は連結子部を強力に殴打することによって嵌着し、すの子のような連結製品の全体を一体的に確実に構成するものである。
【実施例】
【００１８】
実施例としては、一般家庭の台所等において使用する比較的小規模のすの子について図示して説明するが、業務用には例えば各種の製パンなどの陳列棚のような比較的大規模な構成部材として階段状に構成して使用することもできるのである。
【００１９】
１・・は少数の適当な太さと長さと形状に成形した縦材２・・に対して交叉する適当な太さと長さと形状に成形した多数の横材で、この横材１も縦材２も同一の合成樹脂材によって構成する。
【００２０】
３，３は前記横材１と縦材２の適当箇所に設けた小口径と深さに成る横断面角形の凹溝で、この角形各凹溝は横材１と縦材２とが相合交叉する箇所にそれぞれ設けることになる。
【００２１】
４は前記横材１と縦材の合成樹脂材よりも硬質度の合成樹脂材から成る連結子で、この連結子の全周面は凹凸段周面部５に成る。（図３参照）
【００２２】
この連結子４を前記横材１と縦材２とが交叉する部分に設けたそれぞれの角形凹溝３，３に対し、全周面が凹凸段周面部に成る連結子４の上部分５と下部分５とをそれで強圧嵌着して連結するようにする。（図４・図５参照）
【００２３】
また、他の実施例としては、予め連結子４の一部６を横材１又は縦材２に設けた角形凹溝３部に一体に構成し、その後の連結時において、突出している連結子部６’を縦材２又は横材１の角形凹溝３に強圧嵌着して連結する手段をとることもできるのである。（図６・図７参照）
【００２４】
さらに、縦材２の適所に凹凸段周面部５’を有する連結子部４’を予め一体に突設形成しておき、この突設した連結子部４’を横材１の角形凹溝３に強圧嵌着して連結する手段とすることもできるのである。（図８参照）
【００２５】
以上、いずれの実施例においても、横材１と縦材２とを構成する合成樹脂材に対し、連結子４又は連結子部４’を構成する合成樹脂材は硬度の異なるものを使用するとよいが、実際には両者の結合構造が重要であるから、材質はあえて問わない。
【符号の説明】
【００２６】
１・・                      合成樹脂横材
２・・                      合成樹脂縦材
３，３                      角形凹溝
４                          連結子
４’                        連結子部
５，５                      連結子の凹凸段周面部
６                          連結子
６’                        連結子部
【図１】
2019073882.tif 000003
【図２】
2019073882.tif 000004
【図３】
2019073882.tif 000005
【図４】
2019073882.tif 000006
【図５】
2019073882.tif 000007
【図６】
2019073882.tif 000008
【図７】
2019073882.tif 000009
【図８】
2019073882.tif 000010